(57)【特許請求の範囲】
【請求項１】
多数のスラット（２６）を固定部材（１０）によってそれぞれ回動可能に支持すると共に、各スラット（２６）をリンク機構によって接続してリンク機構の作動によって各スラット（２６）を同位相で開閉するようにしたブラインドにおいて、
各スラット（２６）を、スラット本体（２８）と該スラット本体（２８）の幅方向の一端縁に回動可能に連結されたフラップ（３０）とから構成し、
全閉状態において、各スラット（２６）のスラット本体（２８）とフラップ（３０）とを、面一となった状態でスラット（２６）の下方に設けた遮光枠（１３）に接触させることを特徴とするブラインド。
【請求項２】
各フラップ（３０）が、遮光枠（１３）との接触によってスラット本体（２８）に対して回動されることを特徴とする請求項１記載のブラインド。
【発明の詳細な説明】
【０００１】
【発明の属する技術分野】
本発明は、多数のスラットがリンク機構によって同位相で開閉するブラインドに関し、特に、そのスラットの改善に関する。
【０００２】
【従来の技術】
従来のこの種のブラインドとしては、特許第２６０７７１１号公報に記載されたものがある。この公報に記載されたブラインドでは、各スラットの幅方向の端部を除いたほぼ全体を平板状に形成するとともに、各スラットの回動軸をスラットの幅方向中心線上から一方へオフセットさせ、閉鎖時に各スラットの各平板部分がほぼ同一平面上に配置させるよう構成し、そのスラットの回動軸側の端縁部には、同回動軸とスラット表面との最短距離以下の径で湾曲する湾曲部を設け、各スラットの長手方向端縁部近傍には同湾曲部の回動軌跡の下端に接し且つ閉鎖時に各スラットの各平板部分に接する遮光枠を設けている。
【０００３】
そしてこの構成により、スラット開閉動作時、スラットの湾曲部が遮光枠上面に接する円である回動軌跡上を移動するので、遮光枠に衝突することがなく、またスラット全閉状態において、スラットが遮光枠に密接するようになっている。
【０００４】
【発明が解決しようとする課題】
しかしながら、上記公報によるブラインドのスラットでは、スラット全閉状態でスラットを遮光枠に密接するといっても、スラットに湾曲部があるので、湾曲部と遮光枠との間には隙間が形成されてしまい、完全に光の侵入を防止することはできない、という課題がある。
【０００５】
他方、湾曲部を設けずに平板状のスラットで構成して遮光枠と密着させようとすれば、スラットを回動させるときに、スラットが遮光枠と干渉してしまい、開閉動作を行わせることができない。
【０００６】
本発明はかかる課題に鑑みなされたもので、本発明の第１の目的は、周囲構造によって制限を受けることなく、スラットの開閉動作を行わせることができるブラインドを提供することである。
【０００７】
本発明の第２の目的は、スラット全閉状態において、スラットを完全に遮光枠に密着させることができ、光の侵入を完全に防止することができるブラインドを提供することである。
【０００８】
【課題を解決するための手段】
上記した目的を達成するために、請求項１記載の発明によるブラインドは、多数のスラットを固定部材によってそれぞれ回動可能に支持すると共に、各スラットをリンク機構によって接続してリンク機構の作動によって各スラットを同位相で開閉するようにしたブラインドにおいて、各スラットを、スラット本体と該スラット本体の幅方向の一端縁に回動可能に連結されたフラップとから構成し、全閉状態において、各スラットのスラット本体とフラップとを、面一となった状態でスラットの下方に設けた遮光枠に接触させることを特徴とする。スラットを回動させるときに、一体のスラットでは干渉するおそれがある周辺構造の場合にも、フラップがスラット本体に対して回動するために、干渉せずに回動することができ、従って、スラットの開閉動作を円滑に行わせることができる。
【０００９】
請求項２記載の発明は、請求項１記載の各フラップが、遮光枠との接触によってスラット本体に対して回動されることを特徴とする。スラットが全閉状態へと回動されたときに、スラットのフラップが遮光枠に接触し、それによってフラップが自動的に回動されるため、スラットの回動が遮光枠によって阻害されることがない。しかも全閉状態においてはフラップがスラット本体に対して平坦となることにより、スラット全体を遮光枠に対して完全に密着させることができる。
【００１０】
【発明の実施の形態】
以下、図面を用いて本発明の実施の形態を説明する。図１ないし図３は本発明に係るブラインドの第１の実施形態を表す図である。
【００１１】
このブラインドは例えば天窓に用いられるものである。図１において、符号１０は固定アームであり、ブラインドの寸法に応じて複数本設けられ、各固定アーム１０は、一端がサポート１１によって構造物に固定されたサポートボルト１２によって構造物に対して吊下固定されている。固定アーム１０には、後述のスラット２６の下方に配置され、且つスラット２６の周囲を覆う遮光枠１３が固定される。また、１つの固定アーム１０にはモータ１４が固定されており、モータ１４の出力シャフト１６には、複数の第１ジョイントバー１７の一端が固定され、各第１ジョイントバー１７の他端には、第２ジョイントバー１８の一端が枢着されており、各第２ジョイントバー１８の他端には、スライドバー２０が枢着されている。スライドバー２０には、その長手方向に所定間隔をあけて多数のスラットホルダー２２の一端が枢着されている。さらに、各固定アーム１０には、スラットホルダー２２に対応して下方へ垂直に延びる多数の支持バー２４が設けられており、各支持バー２４には、対応するスラットホルダー２２の他端がその回動中心点Ｃにおいて、枢着されている。
【００１２】
各スラットホルダー２２にはスラット２６が固定されている。前記スラットホルダー２２の回動中心点Ｃは、スラット２６の幅方向中心よりも一端側（図２における左側）にオフセットされており、スラット２６は、固定アーム１０に対して回動中心点Ｃを中心として支持されている。
【００１３】
また、上記第１ジョイントバー１７、第２ジョイントバー１８、スライドバー２０、スラットホルダー２２及び支持バー２４によって構成されるリンク機構により、モータ１４が回転して、第１ジョイントバー１７が出力シャフト１６の回動と共に回動すると、スライドバー２０が並進運動を行い、各スラットホルダー２２及び各スラット２６は、前記回動中心点Ｃを中心として同位相で回動運動を行うようになっている。
【００１４】
スラット２６は、より詳細には、前記スラットホルダー２２に支持される平板状のスラット本体２８と、スラット本体２８に対して回動可能に連結されたフラップ３０とから構成される。スラット本体２８の幅方向の前記回動中心点Ｃ側にある一端縁には、スラット２６長手方向に亘って軸受部２８ａが形成されており、この軸受部２８ａにフラップ３０の一端縁にスラット２６長手方向に亘って形成された軸部３０ａが回動可能に嵌合されている。これらスラット本体２８及びフラップ３０は、アルミ製とすることができ、押出成形により成形することができる。スラット本体２８の前記一端縁と反対側の他端縁には、隣接するスラット２６のフラップ３０と重なり合うことができ、全閉時、隣接するフラップ３０をスラット本体２８と面一になるように押さえる押さえ付け部材としての段違い部２８ｂが形成されている。
【００１５】
以上のように構成されるブラインドにおいて、モータ１４が駆動されると、出力シャフト１６，第１ジョイントバー１７及び第２ジョイントバー１８を介してスライドバー２０が並進運動を行う。これに伴って、スラットホルダー２２の一端が移動し、スラットホルダー２２は回動中心点Ｃを中心として回動し、スラットホルダー２２に支持されたスラット２６も回動中心点Ｃを中心として回動して開閉動作を行う。図３（ａ）は、スラット２２が遮光枠１３に対してほぼ垂直となり、各スラット２６が互いに平行になった全開状態を示している。このときフラップ３０は、重力の助けも借りてスラット本体２８とほぼ面一となっている。この全開状態から全閉状態になるように、回転していくと、途中でフラップ３０の端縁が遮光枠１３に当接して（図３（ｂ））、フラップ３０はスラット本体２８に対して回動し、その長手方向の両端縁が遮光枠１３を摺動しながら（図３（ｃ）、（ｄ））、全体としてスラット２６が回動する。そして、全閉状態になったときには、再びフラップ３０は、スラット本体２８と面一になり、遮光枠１３に密着する（図３（ｅ））。また、隣接するスラット２６のスラット本体２８の段違い部２８ｂがフラップ３０を上から押さえることにより、フラップ３０とスラット本体２８の面一状態が確保され、全スラット２６が平坦状に配置される。この状態では、遮光枠１３とスラット２６との間に隙間が全く形成されないため、光の漏れを完全に防ぎ、完全な遮光効果を持たせることができる。
【００１６】
なお、この実施形態では、全閉状態において、回動中心点Ｃからスラット２６に対して下ろした垂線とスラット２６との交点に、フラップ３０とスラット本体２８との連結点が位置づけられるようになっている。しかしながら、この例に限ることなく、この交点を含み、この交点よりも回動中心点Ｃよりもスラット本体２８に寄せた側（図２の右側）の任意の点に連結点を配置することが可能である。
【００１７】
【発明の効果】
以上説明したように、本発明によれば、フラップがスラット本体に対して回動可能に連結されることから、スラットの回動に伴ってフラップがスラット本体に対して回動しながら追随していくので、周囲の形状構造に拘束されにくいブラインドとすることができる。従って、例えば遮光枠がある場合に、遮光枠によってスラットの回動が阻害されることなく、しかも全閉状態においては遮光枠に対して完全に密着させることができ、光の侵入を完全に防止することができる。
【図面の簡単な説明】
【図１】本発明のブラインドの部分破断斜視図である。
【図２】図１のブラインドの部分断面図である。
【図３】図１のブラインドの回動動作を示す部分断面図である。
【符号の説明】
１０  固定アーム
１３  遮光枠
１７  第１ジョイントバー
１８  第２ジョイントバー
２０  スライドバー
２２  スラットホルダー
２４  支持バー
２６  スラット
２８  スラット本体
３０  フラップ
【図１】
0003696049.tif 000002
【図２】
0003696049.tif 000003
【図３】
0003696049.tif 000004